(57)【要約】【解決手段】底部１の高さの高いもう一方の相対する土手部１ｂの両端部に上部台座部１ｃを形成するとともに、該上部台座部間に位置する前記もう一方の相対する土手部の上面には、板状の嵌合突片１ｉを突設し、また、前記もう一方の相対する土手部の下面には、前記一対の上部台座部と前記もう一方の相対する土手部の上面とにより形成される嵌合凹部１ｄに嵌合可能な下部嵌合台座部１ｆを形成し、更に、前記下部嵌合台座部を構成する区画板１ｆ４と前記底部の裏面に形成された底部周壁１ｈとの間には、前記板状の嵌合突部が挿入可能な間隙Ｓ１を形成したものである。【効果】大箱折り畳みコンテナーの底部の裏面には、移動阻止用突片が挿入可能な凹部を形成する必要がなく、従って、大箱折り畳みコンテナーの底部の強度や剛性が向上することになり、ひいては、大箱折り畳みコンテナーの強度や剛性が向上する。【選択図】図２
2006213349.tif 000002
【特許請求の範囲】
【請求項１】
底部と、底部の一方の相対する土手部にヒンジ連結された相対する一方の側壁と、前記土手部より高さの高いもう一方の相対する土手部にヒンジ連結された相対するもう一方の側壁とを有する折り畳みコンテナーにおいて、前記高さの高いもう一方の相対する土手部の両端部に、上部台座部を形成するとともに、該上部台座部間に位置する土手部の上面には、嵌合突片を突設し、また、前記もう一方の相対する土手部の下面には、前記一対の上部台座部と前記もう一方の相対する土手部の上面とにより形成される嵌合凹部に嵌合可能な下部嵌合台座部を形成し、更に、前記下部嵌合台座部を構成する区画板と前記底部の裏面に形成された底部周壁との間には、前記嵌合突片が挿入可能な間隙が形成されていることを特徴とする折り畳みコンテナー。
【発明の詳細な説明】
【技術分野】
【０００１】
本発明は、底部と、底部の相対する長辺側土手部にヒンジ連結された相対する長側壁と、底部の相対する短辺側土手部にヒンジ連結された相対する短側壁とから構成された折り畳みコンテナーに関するものである。
【背景技術】
【０００２】
従来、底部の相対する長辺に沿って形成された長辺側土手部と底部の相対する短辺に沿って形成された短辺側土手部とにより構成される角部に、平面形状が略Ｌ字状の突状部が形成された折り畳みコンテナーが、一例として、特許文献１に開示されている。
【０００３】
【特許文献１】特開２００１−３３５０２９号公報
【発明の開示】
【発明が解決しようとする課題】
【０００４】
２つの折り畳まれた折り畳みコンテナーを、底部の長辺側土手部が、互いに当接するように並設した場合には、上述した平面形状が略Ｌ字状の突状部のうち、長辺側土手部側に位置する部分が並設して、折り畳まれた折り畳みコンテナーの内側に突出することになる。このように、互いに並設された折り畳まれた状態の折り畳みコンテナーの上に、上述した折り畳みコンテナーの短辺側土手部の略２倍長さを有する長辺側土手部と上述した折り畳みコンテナーの長辺側土手部と略同じ長さの短辺側土手部とからなる底部を有する折り畳みコンテナー（以下、大箱折り畳みコンテナーという。）を段積みした際には、大箱折り畳みコンテナーの底部の裏面には、平面形状が略Ｌ字状の突状部のうち、長辺側土手部側に位置する部分が挿入可能な凹部を形成する必要があるが、大箱折り畳みコンテナーの底部に、このような凹部を形成すると、底部の強度や剛性が低下することになり、ひいては、大箱折り畳みコンテナーの強度や剛性が低下することになるという問題があった。
【０００５】
本発明の目的は、従来の折り畳みコンテナーが有する課題を解決することにある。
【課題を解決するための手段】
【０００６】
底部と、底部の一方の相対する土手部にヒンジ連結された相対する一方の側壁と、前記土手部より高さの高いもう一方の相対する土手部にヒンジ連結された相対するもう一方の側壁とを有する折り畳みコンテナーにおいて、前記高さの高いもう一方の相対する土手部の両端部に上部台座部を形成するとともに、該上部台座部間に位置する前記もう一方の相対する土手部の上面には、板状の嵌合突片を突設し、また、前記もう一方の相対する土手部の下面には、前記一対の上部台座部と前記もう一方の相対する土手部の上面とにより形成される嵌合凹部に嵌合可能な下部嵌合台座部を形成し、更に、前記下部嵌合台座部を構成する区画板と前記底部の裏面に形成された底部周壁との間には、前記板状の嵌合突片が挿入可能な間隙を形成したものである。
【発明の効果】
【０００７】
折り畳みコンテナーを上述したように構成することにより、折り畳まれた状態の折り畳みコンテナー同士を段積みした際には、上に位置する折り畳みコンテナーの底部に形成された下部嵌合台座部が、下に位置する折り畳みコンテナーの底部に形成された嵌合凹部に嵌合されるので、従って、上に位置する折り畳みコンテナーが、下に位置する折り畳みコンテナーの一方の方向への水平移動を阻止することができるとともに、下に位置する折り畳みコンテナーの底部の土手部に形成された嵌合突片が、上に位置する折り畳みコンテナーの底部に形成された下部嵌合台座部を構成する区画板と底部の裏面に形成された底部周壁との間に形成された間隙に挿入されるので、従って、上に位置する折り畳みコンテナーが、下に位置する折り畳みコンテナーのもう一方の方向への水平移動を阻止することができる。よって、折り畳まれた状態の折り畳みコンテナー同士を、安定した状態で段積みすることができる。
【０００８】
また、従来の折り畳みコンテナーのように、底部には、平面形状が略Ｌ字状の突状部が形成されていないので、大箱折り畳みコンテナーの底部の裏面には、移動阻止用突片が挿入可能な凹部を形成する必要がなく、従って、大箱折り畳みコンテナーの底部の強度や剛性が向上することになり、ひいては、大箱折り畳みコンテナーの強度や剛性が向上する。
【実施例】
【０００９】
以下に、本発明の実施例について説明するが、本発明の趣旨を越えない限り、何ら、本実施例に限定されるものではない。
【００１０】
図１に示されているように、折り畳みコンテナーは、底部１と、底部１の長辺側土手部１ａにヒンジ連結された長側壁２と、底部１の短辺側土手部１ｂにヒンジ連結された短側壁３とから構成されており、本実施例においては、短辺側土手部１ｂの高さが、長辺側土手部１ａの高さより高く形成されている。そして、図１に示されているように、箱型に組みたてられた状態から、先ず最初に、略垂直状態の長側壁２を、底部１に重なるように倒し、次いで、略垂直状態の短側壁３を、底部１に重ねられた長側壁２の上に重ねることにより、折り畳むことができるように構成されている。
【００１１】
次に、図２及び図３を用いて、底部１について説明する。
【００１２】
上述したように、底部１には、底部１の長辺に沿って形成された長辺側土手部１ａと短辺に沿って形成された短辺側土手部１ｂとが形成されており、短辺側土手部１ｂの高さは、長辺側土手部１ａの高さより高く形成されている。また、短辺側土手部１ｂの上面１ｂ１の両端部に、短辺側上部台座部１ｃを形成することにより、短辺側土手部１ｂには、短辺側嵌合凹部１ｄが形成されている。更に、長辺側土手部１ａの下面１ａ１の両端部付近には、所定の間隔を置いて、一対の長辺側下部嵌合台座部１ｅが形成されており、更にまた、短辺側土手部１ｂの下面１ｂ２の中央部には、短辺側下部嵌合台座部１ｆが形成されている。
【００１３】
底部１の底板１ｇの裏面には、長辺側土手部１ａに略平行な相対する長辺壁１ｈ１と短辺側土手部１ｂに略平行な相対する短辺壁１ｈ２とからなる底部周壁１ｈが形成されている。なお、長辺側土手部１ａの下面１ａ１の両端部付近に形成された長辺側下部嵌合台座部１ｅは、底部周壁１ｈと同じ高さに形成されている。
【００１４】
短辺側土手部１ｂの下面１ｂ２の中央部に形成された短辺側下部嵌合台座部１ｆは、短辺側土手部１ｂの外面１ｂ３と略面一な外面を有し、且つ、短辺側下部嵌合台座部１ｆは、底部周壁１ｈを形成する短辺壁１ｈ２と略平行な横長の帯状前板１ｆ１と、帯状前板１ｆ１の両端から、短辺側土手部１ｂの下面１ｂ２及び帯状前板１ｆ１に垂直に、底部周壁１ｈの短辺壁１ｈ２方向に延在する相対する垂直側板１ｆ２と、該相対する一対の補強用連結側板１ｆ２の下端から、短辺側土手部１ｂの下面１ｂ２に向かって、互いに離反する方向に傾斜した傾斜側板１ｆ３と、垂直側板１ｆ２に略平行で、且つ、垂直側板１ｆ２間に形成されている２枚の区画板１ｆ４とから形成されている。垂直側板１ｆ２と底部周壁１ｈの短辺壁１ｈ２との間、傾斜側板１ｆ３と底部周壁１ｈの短辺壁１ｈ２との間及び２枚の区画板１ｆ４と底部周壁１ｈの短辺壁１ｈ２との間には、それぞれ、所定の間隙Ｓ１が形成されている。なお、区画板１ｆ４は、２枚に限らず、３枚以上形成することもできる。
【００１５】
短辺側土手部１ｂの上面１ｂ１の両端部に形成されている一対の短辺側上部台座部１ｃの間には、所定の間隔を置いて、一対の板状の嵌合突片１ｉが突設されている。本実施例においては、嵌合突片１ｉは、短辺側土手部１ｂの内面１ｂ４付近に位置する短辺側土手部１ｂの上面１ｂ１に突設されており、嵌合突片１ｉの内面１ｉ１と短辺側土手部１ｂの内面１ｂ４とは、略面一になるように構成されているとともに、嵌合突片１ｉの上端１ｉ２は、短辺側上部台座部１ｃの上面１ｃ１を越えないように構成されている。本実施例には、一対の板状の嵌合突片１ｉが突設されている例が示されているが、嵌合突片１ｉは、１枚でも、また、３枚以上形成することもできる。
【００１６】
図４に示されているように、底部１の長辺側土手部１ａにヒンジ連結されている長側壁２の上端フランジ２ａは、平坦に形成されており、また、長側壁２には、長側壁２の両端部を越えて、公知の縦長の長側壁側係合枠部２ｂが形成されており、嵌合枠部２ｂには、適当数の嵌合突部２ｂ１が突設されている。
【００１７】
図５に示されているように、底部１の短辺側土手部１ｂにヒンジ連結されている短側壁３には、短側壁３の上端フランジ３ａの両端部に、台座部３ｂを形成することにより、台座部３ｂ間には、短側壁側嵌合凹部３ｃが形成されているとともに、短側壁３の内面（折り畳みコンテナーが箱型に組み立てられた際に、折り畳みコンテナーの内部側に位置する面）３’側に位置する縁部で、且つ、台座部３ｂ間に位置する上端フランジ３ａには、所定の長さの板状の嵌合横長突片３ｄが突設されている。また、短側壁３には、短側壁３に略垂直な公知の縦長の短側壁側係合枠部３ｅが形成されており、短側壁側係合枠部３ｅには、上記の長側壁側係合枠部２ｂに形成された嵌合突部２ｂ１が嵌合する嵌合凹部３ｅ１及び嵌合孔３ｅ２が形成されている。短側壁側係合枠部３ｅに形成されている一番上に位置する嵌合凹部３ｅ１には、長側壁側係合枠部２ｂに形成されている一番上に位置する嵌合突部２ｂ１が嵌合されるように構成されているが、嵌合凹部３ｅ１を、嵌合孔３ｅ２とすることもできる。更に、短側壁３の両端部には、自由端が、短側壁側係合枠部３ｅ側に位置する公知の弾性舌片３ｆが形成されており、弾性舌片３ｆには係止突部３ｆ１が形成されている。
【００１８】
図１に示されているように、短側壁３の下端フランジ３ｇには、下端フランジ３ｇの２箇所を上方に膨出させることにより、嵌合凹部３ｈが形成されている。折り畳みコンテナーを箱型に組み立てる際に、底部１の短辺側土手部１ｂの上面１ｂ１に形成された一対の嵌合突片１ｉが、短側壁３の下端フランジ３ｇに形成された嵌合凹部３ｈが挿入され、短側壁３の垂直方向への回動の邪魔にならないように構成されている。
【００１９】
箱型に組み立てられた折り畳みコンテナー同士を段積みした際には、上に位置する折り畳みコンテナーの底部１に形成された短辺側下部嵌合台座部１ｆが、下に位置する折り畳みコンテナーの短側壁３に形成された短側壁側嵌合凹部３ｃに嵌合されるとともに、上に位置する折り畳みコンテナーの底部１を形成する短辺側土手部１ｂの下面１ｂ２が、下に位置する折り畳みコンテナーの短側壁３の上端フランジ３ａの両端部に形成されている台座部３ｂの上面に載置されるように構成されている。また、上に位置する折り畳みコンテナーの底部１の短辺側下部嵌合台座部１ｆを構成する垂直側板１ｆ２、傾斜側板１ｆ３及び区画板１ｆ４と底部周壁１ｈの短辺壁１ｈ２との間に形成されている間隙Ｓ１に、下に位置する折り畳みコンテナーの短側壁３の上端フランジ３ａに突設されている嵌合横長突片３ｄが挿入されるように構成されている。更に、上に位置する折り畳みコンテナーの底部１を形成する長辺側土手部１ａの下面１ａ１に形成された長辺側下部嵌合台座部１ｅが、下に位置する折り畳みコンテナーの長側壁２の上端フランジ２ａに載置されるように構成されている。
【００２０】
上述したように、箱型に組み立てられた折り畳みコンテナー同士を段積みした場合において、上に位置する折り畳みコンテナーが、下に位置する折り畳みコンテナーに対して、長側壁２に沿って水平移動しようとしても、上に位置する折り畳みコンテナーの底部１の短辺側下部嵌合台座部１ｆを構成する垂直側板１ｆ２、傾斜側板１ｆ３及び区画板１ｆ４と底部周壁１ｈの短辺壁１ｈ２との間に形成されている間隙Ｓ１に、下に位置する折り畳みコンテナーの短側壁３の上端フランジ３ａに突設されている嵌合横長突片３ｄが挿入されているので、上に位置する折り畳みコンテナーが、長側壁２に沿って水平移動するようなことがなく、また、上に位置する折り畳みコンテナーが、下に位置する折り畳みコンテナーに対して、短側壁３に沿って水平移動しようとしても、上に位置する折り畳みコンテナーの底部１に形成された短辺側下部嵌合台座部１ｆが、下に位置する折り畳みコンテナーの短側壁３に形成された短側壁側嵌合凹部３ｃに嵌合されているので、上に位置する折り畳みコンテナーが、短側壁３に沿ってに水平移動するようなことがなく、従って、箱型に組み立てられた折り畳みコンテナー同士を、安定した状態に段積みすることができるように構成されている。
【００２１】
折り畳まれた状態の折り畳みコンテナー同士を段積みした際には、上に位置する折り畳みコンテナーの底部１に形成された短辺側下部嵌合台座部１ｆが、下に位置する折り畳みコンテナーの底部１を構成する短辺側土手部１ｂの短辺側上部台座部１ｃ間に形成された短辺側嵌合凹部１ｄに嵌合されるように構成されており、従って、上に位置する折り畳みコンテナーが、下に位置する折り畳みコンテナーの底部１の短辺側土手部１ｂに沿って水平移動するようなことがない。
【００２２】
また、下に位置する折り畳まれた状態の折り畳みコンテナーの底部１の短辺側土手部１ｂの上面１ｂ１に形成された一対の嵌合突片１ｉが、上に位置する折り畳まれた状態の折り畳みコンテナーの底部１の短辺側下部嵌合台座部１ｆを構成する一対の区画板１ｆ４と底部周壁１ｈの短辺壁１ｈ２との間に形成されている間隙Ｓ１に挿入されるように構成されている。従って、上に位置する折り畳みコンテナーが、下に位置する折り畳みコンテナーに対して、底部１の長辺側土手部１ａに沿って水平移動しようとしても、上に位置する折り畳みコンテナーの底部１の短辺側下部嵌合台座部１ｆを構成する区画板１ｆ４と底部周壁１ｈの短辺壁１ｈ２との間に形成されている間隙Ｓ１に、下に位置する折り畳みコンテナーの底部１の短辺側土手部１ｂの上面１ｂ１に形成された嵌合突片１ｉが挿入されているので、上に位置する折り畳みコンテナーが、底部１の長辺側土手部１ａに沿って水平移動するようなことがない。
【００２３】
上述したように、折り畳まれた状態の折り畳みコンテナー同士を段積みした際に、上に位置する折り畳みコンテナーが、下に位置する折り畳みコンテナーの底部１の長辺側土手部１ａ及び短辺側土手部１ｂに沿って水平移動するようなことがないので、折り畳まれた状態の折り畳みコンテナー同士を、安定した状態で段積みすることができる。
【００２４】
また、従来の折り畳みコンテナーのように、底部１を構成する長辺側土手部１ａと短辺側土手部１ｂとにより形成される角部に、略平面形状が略Ｌ字状の突状部が形成されていないので、大箱折り畳みコンテナーの底部の裏面には、従来の底部に形成されていた略Ｌ字状の突状部のうち、長辺側土手部側に位置する部分が挿入可能な凹部を形成する必要がなく、従って、大箱折り畳みコンテナーの底部の強度や剛性が向上することになり、ひいては、大箱折り畳みコンテナーの強度や剛性が向上する。
【００２５】
なお、折り畳まれた状態の折り畳みコンテナーを、箱型に組み立てる際には、略水平状態の短側壁３を略垂直に立て、次いで、略水平状態の長側壁２を垂直に回動させることになるが、長側壁２の長側壁側係合枠部２ｂが、短側壁３の短側壁側係合枠部３ｅに接近した時点で、長側壁側係合枠部２ｂの嵌合突部２ｂ１が、短側壁側係合枠部３ｅの嵌合凹部３ｅ１或いは嵌合孔３ｅ２に嵌合するとともに、長側壁側係合枠部２ｂが、短側壁３に形成された弾性舌片３ｆの係止突部３ｆ１に当接し、弾性舌片３ｆを、弾性力に抗して、外側に湾曲変形させ、長側壁側係合枠部２ｂが、弾性舌片３ｆの係止突部３ｆ１を越えた時点で、弾性舌片３ｆが、その復元力により元の位置に戻るとともに、長側壁側係合枠部２ｂが、短側壁側係合枠部３ｅと弾性舌片３ｆの係止突部３ｆ１の間に保持されることになる。このようにして、折り畳まれた状態の折り畳みコンテナーが、箱型に組み立てられることになるが、箱型に組み立てられた状態で、長側壁３が、内側に回動しようとしても、長側壁側係合枠部２ｂが、短側壁３に形成された弾性舌片３ｆの係止突部３ｆ１に当接し、従って、長側壁２の内側への回動が阻止されることになる。
【００２６】
また、箱型に組み立てられた折り畳みコンテナーを、折り畳むには、公知のように、短側壁３に形成された弾性舌片３ｆを、外側に弾性変形させて、弾性舌片３ｆの係止突部３ｆ１を、長側壁２の長側壁側係合枠部２ｂから外し、その後、長側壁２を内側に回動させて、底部１に重ねる。次いで、短側壁３を内側に回動させて、底部１に重ねられている長側壁２に重ねることにより、折り畳むように構成されている。なお、底部１の長辺側土手部１ａには、折り畳みコンテナーを、上記のように、折り畳んだ際に、短側壁３の短側壁側係合枠部３ｅが嵌合される嵌合凹部１ａ２が形成されている。
【００２７】
なお、底部１の長辺側土手部１ａの高さを、短辺側土手部１ｂの高さより高くして、折り畳まれた状態において、底部１の直ぐ上に、短側壁３を略水平に重ね、略水平状態の短側壁３の上に、長側壁２を重ねるように構成することもできる。この場合には、先ず最初に、短側壁３が、略垂直に立てられ、その後、長側壁２が略垂直に立てられて、折り畳みコンテナーが箱型に組み立てられることになる。この実施例においては、長側壁側係合枠部２ｂが、短側壁３に形成され、短側壁側係合枠部３ｅや弾性舌片３ｆが、長側壁２に形成されることになる。更に、短辺側土手部１ｂに形成されている短辺側下部嵌合台座部１ｆや短辺側嵌合凹部１ｄ等は、長辺側土手部１ａに形成され、長辺側土手部１ａに形成されている長辺側下部嵌合台座部１ｅや嵌合凹部１ａ２等は、短辺側土手部１ｂに形成されることになる。
【図面の簡単な説明】
【００２８】
【図１】図１は、箱型に組み立てられた状態の本発明の折り畳みコンテナーの斜視図である。
【図２】図２は、本発明の折り畳みコンテナーを構成する底部の上方からの斜視図である。
【図３】図３は、本発明の折り畳みコンテナーを構成する底部の裏面からの斜視図である。
【図４】図４は、本発明の折り畳みコンテナーを構成する長側壁の部分斜視図である。
【図５】図５は、本発明の折り畳みコンテナーを構成する短側壁の部分斜視図である。
【符号の説明】
【００２９】
１・・・・・・・・・・・・・・・底部
１ｄ・・・・・・・・・・・・・・短辺側嵌合凹部
１ｆ・・・・・・・・・・・・・・短辺側下部嵌合台座部
１ｈ・・・・・・・・・・・・・・底部周壁
１ｉ・・・・・・・・・・・・・・嵌合突片
２・・・・・・・・・・・・・・・長側壁
３・・・・・・・・・・・・・・・短側壁
【図１】
2006213349.tif 000003
【図２】
2006213349.tif 000004
【図３】
2006213349.tif 000005
【図４】
2006213349.tif 000006
【図５】
2006213349.tif 000007